(57)【要約】【課題】販売に係る作業性を向上できるとともに、消費者が確認し易く販売促進効果も得ることが可能な包装箱を提供する。【解決手段】底壁１０の外周縁に、二重構造をなす各一対の端壁１１Ａ，１１Ｂおよび側壁１２Ａ，１２Ｂを設けた上端開口の包装箱において、一方の端壁１１Ａは、外面部１３に連続し上端開口に沿って延びる第１表示部１５と、第１表示部１５および内面部２８と連続し第１表示部１５に沿って延びる第２表示部２５とを備え、第１表示部１５に、両側に位置する固定部１７，１７と、これら固定部１７，１７間に位置する立上部１８とに分割する一対の破断線１６，１６を設け、固定部１７に係止片２１を連設するとともに、隣接する側壁１２に係止片２１を挿入係止する係止穴５４を設け、第１表示部１５を立ち上げることにより第２表示部２５を表示可能とする。【選択図】図１
2009173330.tif 000002
【特許請求の範囲】
【請求項１】
底壁の外周縁に、外面部と内面部とを有する二重構造をなす各一対の端壁および側壁を設けた上端開口の包装箱において、
少なくとも一方の端壁は、前記外面部に連続し非展示状態で前記上端開口に沿って延びる第１表示部と、該第１表示部および前記内面部と連続し非展示状態で前記第１表示部の内面側に沿って延びる第２表示部とを備え、
前記第１表示部に、両側に位置する固定部と、これら固定部間に位置する立上部とに分割する一対の破断線を設け、
前記固定部に係止片を連設するとともに、隣接する前記側壁に係止片を挿入係止する係止穴を設け、
前記第１表示部を分割して立ち上げることにより反対側に位置する第２表示部を表示可能としたことを特徴とする包装箱。
【請求項２】
前記外面部に、一対の前記破断線の端部間にかけて延び、少なくとも一方の破断線との連続部分を非切断状態の屈曲線により構成した第１分割線を設けるとともに、
前記第２表示部と内面部との境界部分に第２分割線を設け、
分割した前記立上部および前記第２表示部を、前記屈曲線に沿って屈曲可能としたことを特徴とする請求項１に記載の包装箱。
【請求項３】
前記第１表示部と外面部との境界部分から、前記第２表示部と内面部との境界部分にかけて延びる第３分割線を設け、
前記第１分割線を、前記破断線の両方の端部から延びる屈曲線と、これら屈曲線の端部から前記第３分割線にかけて延びる切目線と、で構成したことを特徴とする請求項２に記載の包装箱。
【発明の詳細な説明】
【技術分野】
【０００１】
本発明は、所定の商品を収容して輸送し、店頭にて商品を露出させて展示販売するトレイ状の包装箱に関するものである。
【背景技術】
【０００２】
近年、店頭で商品を販売する際には、その商品の生産地などの情報開示を行っている。しかし、この情報開示は、販売店にて準備した表示パネルによって行っているため、意図しない表示ミスが発生する虞がある。
【０００３】
本発明は、店頭にて商品を販売する際の作業性、および、消費者が購入する際の安心感を与えるためのもので、このような包装箱に関連する先行技術文献情報としては次のものがある。
【０００４】
【特許文献１】特開２００４−５１１５０号公報
【特許文献２】実開昭４８−６２９９６号公報
【０００５】
特許文献１には、底板の外周縁に、背面板、右側面板、正面板および左側面板を設けた包装箱が記載されている。この包装箱には、正面板に、組立状態で上下方向に延びる一対の破断線が設けられ、その間に折り出し板と、表示板と、係止用差込板とを有する表示部が設けられている。
【０００６】
しかしながら、この特許文献１に記載の包装箱では、小さな表示部しか形成することができないため、消費者が確認し難く、販売促進効果を得ることができない。また、この包装箱は、剛性が低く変形し易いため、収容する商品が重量物である場合には、輸送用として使用するには適していない。
【０００７】
特許文献２には、底壁の外周縁に二重構造をなす各一対の端壁および側壁を設けた包装箱が記載されている。この包装箱の一方の端壁には、屈曲させることにより前方に膨出する脚片部が設けられ、この端壁を下側に位置させることにより、脚片部で全体を傾斜した状態で載置できるように構成している。
【０００８】
この特許文献２に記載の包装箱は、外周壁が二重構造をなすため剛性が強く、収容する商品が重量物であっても適用が可能である。また、前方に膨出する脚片部に所定の表示を施すことにより、表示部として使用することが可能であると考えられる。しかし、特許文献１と同様に、端壁に表示部を形成するための構造を設ける場合には、その面積が限られているため、大きな表示部を形成することはできない。
【発明の開示】
【発明が解決しようとする課題】
【０００９】
本発明は、従来の問題に鑑みてなされたもので、販売に係る作業性を向上できるとともに、消費者が確認し易く販売促進効果も得ることが可能な包装箱を提供することを課題とするものである。
【課題を解決するための手段】
【００１０】
前記課題を解決するため、本発明の包装箱は、底壁の外周縁に、外面部と内面部とを有する二重構造をなす各一対の端壁および側壁を設けた上端開口の包装箱において、少なくとも一方の端壁は、前記外面部に連続し非展示状態で前記上端開口に沿って延びる第１表示部と、該第１表示部および前記内面部と連続し非展示状態で前記第１表示部の内面側に沿って延びる第２表示部とを備え、前記第１表示部に、両側に位置する固定部と、これら固定部間に位置する立上部とに分割する一対の破断線を設け、前記固定部に係止片を連設するとともに、隣接する前記側壁に係止片を挿入係止する係止穴を設け、前記第１表示部を分割して立ち上げることにより反対側に位置する第２表示部を表示可能としたものである。
【００１１】
この包装箱では、前記外面部に、一対の前記破断線の端部間にかけて延び、少なくとも一方の破断線との連続部分を非切断状態の屈曲線により構成した第１分割線を設けるとともに、前記第２表示部と内面部との境界部分に第２分割線を設け、分割した前記立上部および前記第２表示部を、前記屈曲線に沿って屈曲可能とすることが好ましい。
この場合、前記第１表示部と外面部との境界部分から、前記第２表示部と内面部との境界部分にかけて延びる第３分割線を設け、前記第１分割線を、前記破断線の両方の端部から延びる屈曲線と、これら屈曲線の端部から前記第３分割線にかけて延びる切目線と、で構成することが好ましい。
【発明の効果】
【００１２】
本発明の包装箱では、二重構造をなす端壁および側壁を設けているため、剛性が強く、輸送用として使用することができる。また、端壁を構成する外面部と内面部との間に第１および第２表示部を設けるため、これらを大きな面積で形成することができる。しかも、展示する際には、第１表示部を上向きに引き上げることにより、反対側に位置する第２表示部を表出させることができる。そのため、これらの表示部に収容する商品に基づく所定の表示を施すことにより、十分な販売促進効果を得ることができる。
【発明を実施するための最良の形態】
【００１３】
以下、本発明の実施の形態を図面に従って説明する。
【００１４】
図１から図５は、本発明の第１実施形態に係る包装箱を示す。この包装箱は、イチゴなどの青果物を収容するトレイ状のもので、底壁１０の外周縁にそれぞれ二重構造をなす端壁１１Ａ，１１Ｂおよび側壁１２Ａ，１２Ｂを備え、一方の端壁１１Ａに、非展示（輸送）状態で上端開口に沿って延びる表示部１５，２５を設けたものである。
【００１５】
この包装箱は、表紙および裏紙の間に波状の中しんを配設した周知の段ボール紙を、周知の紙器打抜装置（図示せず）によって図５に示す連続した一枚のブランクとして打ち抜き、所定部位を折り曲げることにより成形される。
【００１６】
この包装箱のブランクは、図５に示すように、中央に矩形状をなす底壁１０を備えている。この底壁１０の左側端縁には、端壁１１Ａを構成する外面部１３が連設され、その境界部分に肉厚を圧縮するように罫を入れて形成した折曲線１４が設けられている。
【００１７】
前記外面部１３の端縁には、輸送時に有効な印刷が施される第１表示部１５が連設されている。この第１表示部１５には、先端近傍の両側縁から外面部１３に向けて互いに近接するように傾斜して延びる一対の破断線１６，１６が設けられている。この破断線１６，１６は、所定間隔をもってミシン目状に延びる切断部と、該切断部の一端から外側縁に向けて延びるガイド切断部とを備えた片ジッパーからなり、その先端は、外面部１３と第１表示部１５との境界部分に位置させている。これにより、第１表示部１５は、破断線１６，１６の外側に位置する一対の固定部１７，１７と、破断線１６，１６間に位置する中央の立上部１８とに区画されている。また、この第１表示部１５と外面部１３との境界部分には、破断線１６，１６間にかけて延びるリード罫１９と、該リード罫１９の両端から同一直線的に延びる折曲線２０とが設けられている。なお、リード罫１９は、肉厚を圧縮するように罫を入れて形成した折曲部と、該折曲線上に位置するように所定間隔をもってミシン目状に設けた切断部とからなるものである。また、前記第１表示部１５の両側、即ち立上部１８の側縁には、組立状態を維持するための係止片２１が連設され、その境界部分に折曲線２２が設けられている。この係止片２１は、略扇形形状をなし、第１表示部１５との連続部近傍の外縁には係止爪部２１ａが形成されている。
【００１８】
前記第１表示部１５の端縁には、可撓部２３を介して第２表示部２５が連設されている。この可撓部２３は、組立状態で、第１表示部１５と第２表示部２５とを互いに平行に位置させ、かつ、相対的に変位可能に連結するもので、所定間隔をもって設けた複数（本実施形態では４本）の折曲線２４を備えている。
【００１９】
前記第２表示部２５は、店頭での販売時に有効な生産地などの印刷が施されるものである。この第２表示部２５は、輸送で第１表示部１５の背部である内面側に配置されるもので、該第１表示部１５に対して可動部を中心として略対称な台形状に形成されている。この第２表示部２５には、先端に向けて傾斜した一対の傾斜縁に支持片２６，２６が連設され、その境界部分に前記と同様のリード罫２７が設けられている。
【００２０】
前記第２表示部２５の先端縁には、前記外面部１３の内面側に重畳される内面部２８が連設され、その境界部分にリード罫２９が設けられている。この内面部の先端両側には、組立状態で隣接する側壁１２Ａ，１２Ｂに係止する係止突部３０が設けられている。
【００２１】
また、底壁１０の右側端縁には、端壁１１Ｂを構成する外面部３１が連設され、その境界部分に折曲線３２が設けられている。この外面部３１の先端両側には、側壁１２Ａ，１２Ｂと固定するための固定面部３３，３３が連設され、その境界部分に折曲線３４が設けられている。この固定面部３３，３３は、組立状態で包装箱の上端開口の２隅を閉塞するように配置される扇形形状のもので、その側縁には、係止爪部３５ａを備えた前記と同様の係止片３５が連設され、その境界部分に折曲線３６が設けられている。
【００２２】
さらに、外面部３１の中央には、上面部３７を介して内面部３８が連設されている。上面部３７は、外面部３１と内面部３８との間に後述する一対の係止面部４３Ａ，４３Ｂ，４８Ａ，４８Ｂを挿入係止するために、これらを所定間隔をもって位置させるのもので、外面部３１との境界部分および内面部３８との境界部分には、それぞれリード罫３９，３９が設けられている。また、内面部３８には、内面部２８と同様の係止突部４０が設けられている。なお、固定面部３３と上面部３７および内面部３８とは、円弧状をなす切断線により区画されている。
【００２３】
さらに、底壁１０の上下側縁には、側壁１２Ａ，１２Ｂを構成する外面部４１Ａ，４１Ｂがそれぞれ連設され、その境界部分に折曲線４２が設けられている。これら外面部４１Ａ，４１Ｂの両側端縁には、組立状態で隣接する端壁１１Ａ，１１Ｂの外面部１３，３１にそれぞれ重畳するように配置される第１係止面部４３Ａ，４３Ｂが連設され、その境界部分に折曲線４４が設けられている。これら第１係止面部４３Ａ，４３Ｂは、組立状態で対向する側壁１２Ｂ，１２Ａから突出する第１係止面部４３Ｂ，４３Ａと、互いの先端縁が突き合う寸法で形成されている。また、これら第１係止面部４３Ａ，４３Ｂは、端壁１１Ａ，１１Ｂに設けた係止片２１，３５と、切断線により区画されている。
【００２４】
また、外面部４１Ａ，４１Ｂには、上面部４５Ａ，４５Ｂを介して内面部４６Ａ，４６Ｂが連設されている。上面部４５は、外面部４１Ａ，４１Ｂに対して内面部４６Ａ，４６Ｂを所定間隔をもって配置するためのもので、外面部４１Ａ，４１Ｂとの境界部分および内面部４６Ａ，４６Ｂとの境界部分には、折曲線４７，４７が設けられている。
【００２５】
前記内面部４６Ａ，４６Ｂの両側端縁には、組立状態で隣接する端壁１１Ａ，１１Ｂの内面部２８，３８にそれぞれ重畳するように配置される第２係止面部４８Ａ，４８Ｂが連設されている。これら内面部４６Ａ，４６Ｂと第２係止面部４８Ａ，４８Ｂとの境界部分には、内面部４６Ａ，４６Ｂに組立状態で端壁１１Ａ，１１Ｂの係止突部３０，４０が係止する係止溝部４９を形成するために、略Ｌ字形状に延びる切断線５０が設けられるとともに、該切断線５０の端部から折曲線５１が設けられている。また、第２係止面部４８Ａ，４８Ｂには、一方に台形状をなす係合部５２が設けられるとともに、組立状態で対向する他方に台形状をなす係合溝５３が設けられている。
【００２６】
そして、本実施形態の側壁１２Ａ，１２Ｂには、組立状態で隣接する端壁１１Ａ，１１Ｂの係止片２１，３５を挿入係止するために、上面部４５Ａ，４５Ｂから内面部４６Ａ，４６Ｂにかけて延びる係止穴５４が打ち抜きにより設けられている。
【００２７】
包装箱を組み立てる場合には、まず、底壁１０に対して側壁１２Ａ，１２Ｂを構成する外面部４１Ａ，４１Ｂを折り曲げ、この外面部４１Ａ，４１Ｂに対して上面部４５Ａ，４５Ｂを折り曲げ、この上面部４５Ａ，４５Ｂに対して外面部４１Ａ，４１Ｂを折り曲げる。ついで、重畳した係止面部４３Ａ，４８Ａ，４３Ｂ，４８Ｂを、連続する外面部４１Ａ，４１Ｂおよび内面部４６Ａ，４６Ｂに対して内向きに折り曲げる。そして、対向する第２係止面部４８Ａ，４８Ｂの係合部５２と係合溝５３とを係合させる。
【００２８】
ついで、底壁１０に対して端壁１１Ｂを構成する外面部３１を折り曲げ、この外面部３１に対して固定面部３３および上面部３７を折り曲げ、この上面部３７に対して内面部３８を折り曲げる。そして、内面部３８の係止突部４０を、隣接する側壁１２Ａ，１２Ｂの係止溝部４９に係止するとともに、固定面部３３に連設した係止片３５を隣接する側壁１２Ａ，１２Ｂの係止穴５４に挿入係止する。
【００２９】
その後、底壁１０に対して端壁１１Ａを構成する外面部１３を折り曲げた後、可撓部２３に沿って第２表示部２５を第１表示部１５に対して折り返し、第２表示部２５に連続した内面部２８を、重畳した係止面部４３Ａ，４８Ａ，４３Ｂ，４８Ｂに対して重畳させる。ついで、重畳した表示部１５，２５を、連続する外面部１３および内面部２８に対して内向きに折り曲げる。そして、第１表示部１５に連続した係止片２１を隣接する側壁１２Ａ，１２Ｂの係止穴５４に挿入係止する。
【００３０】
これにより、図１に示すように、第１表示部１５が包装箱の上端開口に沿って延び、第２表示部２５が第１表示部１５の内面側に沿って略平行に延びる輸送に適した組立状態とすることができる。なお、この包装箱には、ブランクとして打ち抜く前または打ち抜いた後に、各壁１１Ａ，１１Ｂ，１２Ａ，１２Ｂの表面に収容する商品に基づく表示が周知の印刷機によって印刷される。また、本実施形態では、第１表示部１５には、輸送時に有効な表示（注意事項など）が印刷され、第２表示部２５には、店頭にて販売する際に有効な表示（原産地など）が印刷されている。ここで、これらの印刷面は、段ボール紙において同一の表紙の側であるため、一面のみに印刷すればよい。よって、製造コストを低減できる。
【００３１】
この包装箱は、底壁１０の外周部に二重構造をなす端壁１１Ａ，１１Ｂおよび側壁１２Ａ，１２Ｂを設けているため、剛性が強く、輸送用として使用することができる。また、本実施形態の包装箱は、端壁１１Ａの側の上端開口に大きな第１表示部１５を設けているため、輸送時の注意事項などを十分に表示することが可能である。また、この第１表示部１５は、輸送先を記載したラベルなどを貼着させることも可能である。よって、作業者に十分な注意を促すことが可能であるため、輸送に係る作業性を極めて向上できる。
【００３２】
一方、商品を販売する販売店では、まず、包装箱の第１表示部１５の先端を把持し、一対の破断線１６，１６に沿って破断しながら、立上部１８を上向きに引き上げる。これにより、図２および図３に示すように、第１表示部１５を立上部１８と固定部１７とに分割し、固定部１７によって包装箱の組立状態を維持する一方、立上部に連続した第２表示部２５を表出させた展示状態とすることができる。
【００３３】
この展示状態では、第２表示部２５の両側に位置する支持片２６が固定部１７の上面に係止し、該第２表示部２５を包装箱の上端開口から所定の傾斜角度で上向きに傾斜した状態を維持する。そして、図３に示すように、第２表示部２５に対して、第２表示部２５と内面部２８との連続部分が上側に位置するように広告表示を印刷しておくことにより、店頭において傾斜した展示台Ｓに載置する場合に有効な包装箱を構成できる。または、図４に示すように、第２表示部２５に対して、第２表示部２５と外面部１３との連続部分が上側に位置するように広告表示を印刷しておくことにより、店頭において平坦な展示台に載置する場合に有効な包装箱を構成できる。
【００３４】
このように、本実施形態の包装箱は、第１および第２表示部１５，２５を突出させた展示状態とすることができる。そのため、この展示状態では、消費者が大きな第２表示部２５を容易に認識できる。よって、第２表示部２５に広告表示などの印刷を施すことにより、十分な販売促進効果を得ることができる。
【００３５】
図６から図９は第２実施形態の包装箱を示す。この包装箱は、各表示部１５，２５を更に２分割可能とするとともに、端壁１１Ａに対して屈曲可能として、側壁１２Ａ，１２Ｂの側からも消費者が商品を認識可能とした点で、第１実施形態と大きく相違している。
【００３６】
この第２実施形態の包装箱のブランクは、図９に示すように、第１実施形態と同様に、底壁、端壁１１Ａ，１１Ｂおよび側壁１２Ａ，１２Ｂを備えている。そして、端壁１１Ａも同様に、底壁１０に連続する外面部１３と、該外面部１３に連続する第１表示部１５と、該第１表示部１５に可動部を介して連続する第２表示部２５と、該第２表示部２５に連続する内面部２８とを備えている。
【００３７】
そのうち、外面部１３には、第１表示部１５に設けた一対の破断線１６，１６の端部間にかけて延びる第１分割線５５が設けられている。本実施形態の第１分割線５５は、各破断線１６の端部から直交方向に延びる非切断状態をなす一対の屈曲線５６と、これら屈曲線５６の端部から後述する第３分割線６４の端部である第１表示部１５と外面部１３との境界部分中央に向けて延びる一対の切目線６０とを備えている。屈曲線５６は、中央の切断線５７と、該切断線５７の両端から延びる折曲線５８とを備えている。切断線５７は、屈曲状態を維持する係止部５９を形成するためのもので、側壁１２Ａ，１２Ｂの側に向けて延びる略横Ｕ字形状のものである。切目線６０は、底壁１０の側に位置する折曲線５８の端部から前記境界部分中央に向けて略円弧状に延びるもので、破断線１６と同様の片ジッパーからなる。
【００３８】
また、第１表示部１５には、外面部１３との境界部分中央に位置するように、半長円形状をなす切目線６１が設けられている。この切目線６１は、切断線５７に沿った外面部１３の破断端片６２を形成するためのものである。なお、本実施形態では、第１表示部１５と外面部１３との境界部分には、第１実施形態に示すリード罫１９は設けることなく、１本の連続した折曲線２０のみが形成されている。
【００３９】
さらに、第２表示部２５と内面部２８との境界部分には、リード罫２９の代わりに第２分割線６３が設けられている。この第２分割線６３は、リード罫２９と略同様であり、各折曲部の全長を短くし、各切断部の全長を長くした点で相違している。
【００４０】
そして、本実施形態では更に、前記切目線６０の端部である第１表示部１５と外面部１３との境界部分中央から、第２表示部２５と内面部との境界部分中央にかけて延びる第３分割線６４が設けられている。この第３分割線６４は、破断線１６と同様の片ジッパーからなる。即ち、第１分割線５５は、破断線１６の両方の端部から延びる屈曲線５６と、これら屈曲線５６の端部からこの第３分割線６４にかけて延びる切目線６０とで構成されている。
【００４１】
なお、この端壁１１Ａと対向する端壁１１Ｂ、および、底壁１０の両側に位置する側壁１２Ａ，１２Ｂは、第１実施形態と同様であり、側壁１２Ａ，１２Ｂを構成する外面部４１に連設した第１係止面部４３Ａ，４３Ｂに、前記係止部５９が係止する穴からなる係止受部６５を設けた点で、相違している。
【００４２】
図６に示すように、この第２実施形態の包装箱は、第１実施形態と同様に、底壁１０の外周部に二重構造をなす端壁１１Ａ，１１Ｂおよび側壁１２Ａ，１２Ｂを設けているため、剛性が強く、輸送用として使用することができる。
【００４３】
また、第２実施形態の包装箱を展示状態とする場合には、例えば図７に示すように、第１表示部１５の先端において一側に偏った位置を把持し、上向きに引き上げる。これにより、図示のように、第３分割線６４に沿って第１表示部１５、可撓部２３および第２表示部２５を半分に分割するとともに、破断線１６に沿って半分の領域の立上部１８を立ち上げることができる。
【００４４】
ついで、半分の分割表示部Ｂ１を屈曲線５６に沿って屈曲させる。これにより、外面部１３において、分割表示部Ｂ１に連続した領域を切目線６０に沿って破断する。また、屈曲により第１係止面部４３Ｂの側に突出する係止部５９を、係止受部６５に係止させる。その結果、図８に示すように、側壁１２Ａ，１２Ｂのいずれからでも表示部１５，２５を認識可能な展示状態とすることができる。
【００４５】
なお、他方の分割表示部も同様にして屈曲させ、一対の分割表示部１５，２５を所謂観音開き状態としてもよい。
【００４６】
このように構成した第２実施形態では、各表示部１５，２５の半分の領域にそれぞれ広告表示を印刷しておくことにより、側方からでも消費者が容易に認識可能である。よって、展示状態とした包装箱を載置する方向性の制限をなくすことができるため、展示に係る作業性を向上できるうえ、更なる販売促進効果を得ることができる。
【００４７】
なお、本発明の包装箱は、前記実施形態の構成に限定されるものではなく、種々の変更が可能である。
【００４８】
例えば、前記実施形態では、一方の端壁１１Ａのみに第１表示部１５および第２表示部２５を設けたが、端壁１１Ａ，１１Ｂの両方に設けてもよい。また、第２実施形態では、第３分割線を設けることにより、一対の分割表示部Ｂ１，Ｂ２を観音開き状態で展示できるようにしたが、第３分割線６４を設けることなく、かつ、屈曲線５６を破断線１６，１６の一方のみに連続するように設け、他方は破断線１６に連続する１本の連続した切目線６０とすることにより、１つの表示を屈曲可能に構成することもできる。
【００４９】
さらに、前記実施形態では、係止片２１，３５を隣接する側壁１２Ａ，１２Ｂの上面部４５Ａ，４５Ｂに設けた係止穴５４に挿入係止する構成としたが、この係止穴を側壁１２Ａ，１２Ｂの下部（底壁１０との境界部分）に設け、係止片２１，３５が外面部４１Ａ，４１Ｂの外面に重畳するように延びて係止する構成としてもよい。
【００５０】
さらにまた、前記実施形態では、第１表示部１５を、両側の固定部１７，１７と、その間に位置する立上部１８と、に分割するための一対の破断線１６，１６を、第１表示部１５の両側縁から互いに近接するように設けたが、図１０に示すように、第１表示部１５に対して直交方向に延びるように構成し、その間に第２表示部２５を連設した構成としてもよい。
【００５１】
そして、前記実施形態では、包装箱を平面視矩形状をなすように構成したが、各角部に面取壁を設けてもよい。
【図面の簡単な説明】
【００５２】
【図１】本発明に係る第１実施形態の包装箱を示す斜視図である。
【図２】表示部を立ち上げた状態を示す斜視図である。
【図３】展示状態の一例を示す断面図である。
【図４】他の展示状態を示す斜視図である。
【図５】第１実施形態の包装箱のブランクを示す平面図である。
【図６】第２実施形態の包装箱を示す斜視図である。
【図７】表示部を立ち上げた状態を示す斜視図である。
【図８】表示部を屈曲させた状態を示す斜視図である。
【図９】第２実施形態の包装箱のブランクを示す平面図である。
【図１０】包装箱の変形例のブランクを示す平面図である。
【符号の説明】
【００５３】
１０…底壁
１１Ａ，１１Ｂ…端壁
１２Ａ，１２Ｂ…側壁
１３…外面部
１５…第１表示部
１６…破断線
１７…固定部
１８…立上部
２１…係止片
２３…可撓部
２５…第２表示部
２８…内面部
３１，４１Ａ，４１Ｂ…外面部
３７，４５Ａ，４５Ｂ…上面部
３８，４６Ａ，４６Ｂ…内面部
５４…係止穴
５５…第１分割線
５６…屈曲線
６０…切目線
６３…第２分割線
６４…第３分割線
【図１】
2009173330.tif 000003
【図２】
2009173330.tif 000004
【図３】
2009173330.tif 000005
【図４】
2009173330.tif 000006
【図５】
2009173330.tif 000007
【図６】
2009173330.tif 000008
【図７】
2009173330.tif 000009
【図８】
2009173330.tif 000010
【図９】
2009173330.tif 000011
【図１０】
2009173330.tif 000012